(57)【特許請求の範囲】
【請求項１】
燃料ガスの燃料電池内における圧力損失を測定する測定手段と、
前記測定手段により測定された燃料ガスの圧力損失に基づいて、所定時間間隔における燃料ガスの圧力損失の低下量を算出する算出手段と、
前記算出手段により算出された燃料ガスの圧力損失の低下量に応じて、電解質膜の一部が乾燥状態となり電解質膜の反応領域に部分的偏りが生じているセルが存在するとして前記燃料電池内の乾燥状態を診断する診断手段と、
前記燃料電池の運転温度を測定する温度測定手段と、を備え、
前記算出手段は、前記温度測定手段により測定された燃料電池の運転温度の前記所定時間間隔における上昇度を算出し、この燃料電池の運転温度の上昇度に対する前記燃料ガスの圧力損失の低下量の割合を算出し、
前記診断手段は、前記算出手段により算出された割合に応じて前記燃料電池内の乾燥状態を診断する、
ことを特徴とする燃料電池システムの制御装置。
【請求項２】
前記燃料ガスの流量を測定する流量測定手段と、
前記流量測定手段により測定された燃料ガス流量の前記所定時間間隔における変化量からこの燃料ガス流量の変化に伴う燃料ガスの圧力損失の低下量を推定する推定手段と、
を更に備え、
前記診断手段は、前記算出手段により算出される燃料ガスの圧力損失の低下量が前記推定手段により推定された低下量よりも十分に小さいか否かを更に判定することにより、前記燃料電池内の乾燥状態を診断する、
ことを特徴とする請求項１に記載の燃料電池システムの制御装置
【請求項３】
前記診断手段により前記燃料電池内が乾燥状態であると診断された場合に、前記燃料電池内の水分量が増加するように制御する制御手段を更に備えることを特徴とする請求項１又は２のいずれか１項に記載の燃料電池システムの制御装置。
【発明の詳細な説明】
【技術分野】
【０００１】
本発明は、燃料電池システムの制御装置に関し、特に、燃料電池内の電解質膜のドライアップ検出技術に関する。
【背景技術】
【０００２】
燃料電池の各セルでは、アノード（燃料ガス電極）に接合されるセパレータのガス流路に供給される燃料ガスとカソード（酸化剤ガス電力）に接合されるセパレータのガス流路に供給される酸化剤ガスとを電解質膜を介して反応させることによりそれぞれ発電が行われる。具体的には、アノードに供給された燃料ガスに含まれる水素がアノードの触媒層における酸化反応によりプロトン(水素イオン)と電子とに分離され、プロトンが電解質膜を通ってカソードに移動し、電子が外部回路を通ってカソードに移動することにより電流が生ずる。ここで、各セルの発電効率を維持するためには、プロトンの移動を確保するために電解質膜を湿潤に保つ必要がある。
【０００３】
燃料電池を構成するセルの水分状態若しくは乾燥状態（ドライアップ）を検出する手法として以下のような手法が開示されている。下記特許文献１では、測定されたセルの開回路電圧（ＯＣＶ）に基づいてセルの水分状態を診断する技術が開示されている。
【０００４】
下記特許文献２では、インピーダンス検出器により燃料電池全体のインピーダンスが検出され、このインピーダンスに基づいて固体電解質膜のドライアップ状態を検出する手法が開示されている。
【０００５】
下記特許文献３では、燃料電池を構成する各セルの出力電力及び燃料電池の温度を測定し、これら測定値を用いて燃料電池の状態としてドライアップを検出する手法が開示されている。
【０００６】
下記特許文献４では、発電を完全に停止させる前に実行される残留水分最適化処理において、電解質膜に水分が所定量残留しておりかつ酸化剤ガス流路内に水分が残留していない状態とするべく、燃料電池の空気圧力損失及び電解質膜の膜抵抗値の各測定値をそれぞれ用いる手法が開示されている。この手法によれば、燃料電池の空気圧力損失が所定閾値以下となっているか否かを判定することにより酸化剤ガス流路内に水分が残留しているか否かが決定され、電解質膜の膜抵抗値が所定閾値以下となるか否かを判定することによりセルの内部残留水分が決定される。
【０００７】
下記特許文献５では、燃料電池内部での結露を防止するために、結露により水蒸気量が減少し燃料ガスの圧力損失が低下することを検知する手法が開示されている。
【特許文献１】特開２００５−３２５８７号公報
【特許文献２】特開２００４−２４１２３６号公報
【特許文献３】特開２００４−２４１２０１号公報
【特許文献４】特開２００５−２０９６１０号公報
【特許文献５】特開２００５−２９３９０６号公報
【発明の開示】
【発明が解決しようとする課題】
【０００８】
しかしながら、上述のような従来のドライアップ検出手法では、電解質膜の乾燥状態がかなり進行した状態での検出になってしまっており、検出後その乾燥状態を回復させるのに長い時間を要するという問題点があった。
【０００９】
図８は、セル電圧及びセル抵抗と電解質膜の乾燥湿潤状態との関係を示す概念図である。図８では、上のグラフでセル電圧及びセル抵抗の推移が示され、下図で上グラフの各場面における電解質膜９００、９０１及び９０２の乾燥湿潤状態が示される。図８に示される電解質膜９００、９０１及び９０２は、酸化剤ガス流路が図面下から上に形成されているセパレータと接するカソード側の端面を示している。
【００１０】
通常状態、すなわちセル電圧が高い値で安定しセル抵抗が低い値で安定している状態では、そのセルの電解質膜は、電解質膜９００に示されるように、膜全面において発電が良好に行われる。
【００１１】
電解質膜が乾燥し始めると、セル電圧が緩やかに低下しセル抵抗が緩やかに上昇する。このような乾燥状態では、そのセルの電解質膜は、電解質膜９０１に示されるように、酸化剤ガス供給口側で部分的に乾燥領域が生じ（部分的乾燥領域９０５）、その乾燥領域が発電不良領域となる。
【００１２】
更に電解質膜の乾燥が進むと、セル電圧が大幅に低下しセル抵抗が大幅に上昇する状態となる。このような状態における電解質膜は、電解質膜９０２に示すように、乾燥領域９０５が拡がると共に酸化剤ガス供給口側には完全乾燥領域９０６が生じる。この完全乾燥領域９０６は非発電領域となる。このような非発電領域が生ずると急速に発電不良が進行する。
【００１３】
電解質膜がこのような発電不良状態（電解質膜９０２）となった場合には、この乾燥状態を回復させるのに長い時間を要する。従って、電解質膜がこのような発電不良状態となる前に、早期に電解質膜の乾燥状態を検出する必要がある。
【００１４】
本発明の目的は、上述のような問題点に鑑み、正確かつ早期に電解質膜の乾燥状態を検出する燃料電池システムの制御装置を提供することにある。
【課題を解決するための手段】
【００１５】
本発明は、上述した課題を解決するために以下の手段を採用する。即ち、本発明は、燃料電池システムの制御装置に関するものであり、この制御装置は、燃料ガスの燃料電池内における圧力損失を測定する測定手段と、この測定手段により測定された燃料ガスの圧力損失に基づいて、所定時間間隔における燃料ガスの圧力損失の低下量を算出する算出手段と、この算出手段により算出された燃料ガスの圧力損失の低下量に応じて、電解質膜の一部が乾燥状態となり電解質膜の反応領域に部分的偏りが生じているセルが存在するとして燃料電池内の乾燥状態を診断する診断手段とを備えることを特徴とする。
【００１６】
燃料電池を構成するセルにおいて、電解質膜が乾燥し始めるとその部分が発電不良領域となり、電解質膜の反応領域（発電領域）に偏りが生じる。電解質膜の反応領域に偏りが生ずるとそのセル面内において電解質膜に供給される燃料ガスの消費にも偏りが生じ、結果として燃料ガスの実質流路長が短くなる。燃料ガスの実質流路長が短くなると燃料ガスの圧力損失は低下する。
【００１７】
本発明では、所定時間間隔における燃料電池内の燃料ガスの圧力損失の低下量が算出され、この燃料ガスの圧力損失の低下量に応じて上記現象を検出することにより燃料電池内の乾燥状態が診断される。
【００１８】
これにより、本発明の乾燥診断によれば、電解質膜の一部が乾燥し始めた時点を検出することができるため、電解質膜の乾燥が進行し非発電領域が生じる前に早期に電解質膜の
乾燥状態を検出することができる。従って、本発明によれば、電解質膜の乾燥状態を検出した後であっても容易に乾燥状態を回復させることができる。
【００１９】
本発明において好ましくは、燃料電池の運転温度を測定する温度測定手段を更に備え、上記算出手段が、上記温度測定手段により測定された燃料電池の運転温度の上記所定時間間隔における上昇度を算出しこの燃料電池の運転温度の上昇度に対する燃料ガスの圧力損失の低下量の割合を算出し、上記診断手段が、上記算出手段により算出された割合に応じて燃料電池内の乾燥状態を診断するように構成する。
【００２０】
このような構成によれば、燃料電池内の乾燥状態を診断するにあたり、燃料電池の運転温度の上昇度に対する燃料ガスの圧力損失の低下量の割合が考慮される。
【００２１】
従って、このような構成によれば、電解質膜の一部が乾燥し始めた時点をより正確に診断することができる。例えば、燃料電池の運転状態が大きく変わるような場合は、運転温度の上昇度も燃料ガスの圧力損失の低下量もいずれも大きくなることが想定される。このような状況も考慮して正確に電解質膜の乾燥状態を診断することができる。
【００２２】
また、本発明において好ましくは、燃料ガスの流量を測定する流量測定手段と、この流量測定手段により測定された燃料ガス流量の上記所定時間間隔における変化量からこの燃料ガス流量の変化に伴う燃料ガスの圧力損失の低下量を推定する推定手段とを更に備え、上記診断手段が、上記算出手段により算出される燃料ガスの圧力損失の低下量が上記推定手段により推定された低下量よりも十分に小さいか否かを更に判定することにより燃料電池内の乾燥状態を診断するように構成する。
【００２３】
燃料ガスの圧力損失は燃料電池へ供給される燃料ガスの流量に応じても変化する。このような点を加味し、燃料ガス流量の変化に伴う燃料ガスの圧力損失の低下量が推定され、上記算出手段により算出される燃料ガスの圧力損失の低下量がこの推定された低下量よりも十分に小さいことが確認される。十分に小さいとは、例えば上記測定手段による測定誤差等を加味しても更に小さいことを意味する。
【００２４】
このような構成によれば、燃料ガス流量の変化に伴う燃料ガスの圧力損失の変化を除いて、電解質膜の一部乾燥に伴う燃料ガスの圧力損失の低下を中心的に検出することができるため、正確に電解質膜の乾燥状態を診断することができる。
【００２５】
本発明において好ましくは、上記診断手段により燃料電池内が乾燥状態であると診断された場合に、燃料電池内の水分量が増加するように制御する制御手段を更に備えるように構成する。
【００２６】
このような構成によれば、上記その他の手段により早期にセルの乾燥状態が診断されるため、この制御手段により早期に乾燥状態を回復させることができ、正常な発電状態に復旧させることができる。
【発明の効果】
【００２７】
本発明によれば、正確かつ早期に電解質膜の乾燥状態を検出する燃料電池システムの制御装置を提供することができる。
【発明を実施するための最良の形態】
【００２８】
以下、図面を参照して、本発明の実施形態における燃料電池システムについて説明する。なお、以下に述べる各実施形態の構成はそれぞれ例示であり、本発明は以下の各実施形態の構成に限定されない。
【００２９】
［本発明の骨子］
まず、本発明の各実施形態を説明する前に、図１（Ａ）及び（Ｂ）並びに図２（Ａ）及び（Ｂ）を参照しながら本発明の骨子について説明する。図１（Ａ）及び（Ｂ）は、カウンターフロー型セパレータが用いられるセルの乾燥状態と燃料ガスの圧力損失との関係を示す概念図である。
【００３０】
カウンターフロー型セパレータが用いられるセルでは、セパレータに形成されるガス流路のうちＭＥＧＡ（Membrane Electrode ＆ Gas Diffusion Layer Assembly）を挟んで対向する各ガス流路においてそれぞれ燃料ガスと酸化剤ガスとが逆向きに流れる。図１（Ａ）及び（Ｂ）では、ＭＥＧＡの上面に接するセパレータのガス流路（酸化剤ガス流路）には酸化剤ガスが図右から左方向へ流れ、ＭＥＧＡの下面に接するセパレータのガス流路（燃料ガス流路）には燃料ガスが図左から右方向へ流れる。このような構成を有するセルは、酸化剤ガス流路の供給口側と燃料ガス流路の送出口側と（共に図面右側）がＭＥＧＡを挟んで対向する構成を有する。なお、セパレータに形成されたガス流路のうち酸化剤ガス若しくは燃料ガスがセパレータへ流入しＭＥＧＡとの接合面に供給される部位をガス流路の供給口側と表記し、逆にＭＥＧＡとの接合面を通りセパレータから送出される部位をガス流路の送出口側と表記する。
【００３１】
図１（Ａ）は、カウンターフロー型のセパレータが用いられるセルにおいて正常に発電が行われている状態を示す。このような状態ではＭＥＧＡ全面においてバランスよく発電が行われるため、燃料ガス流路を流れる燃料ガスは、ＭＥＧＡへの供給口側（図面左側）から送出口側（図面右側）へ向けて徐々に消費されながら流れる。図１（Ａ）における符号１は、この燃料ガス流路を流れる燃料ガスの流量を模式的に表わしており、幅が広ければ流量が多く幅が狭ければ流量が少ないことを示している。また、カソード側で生成される水分量は、酸化剤ガス流路の供給口側（図面右側）から送出口側（図面左側）へ向けて徐々に多くなる。つまり、カウンターフロー型のセパレータが用いられるセルでは、ＭＥＧＡの酸化剤ガス流路の供給口側（＝燃料ガス流路の送出口側）（図面右側）において水分量が少なくなる傾向がある。
【００３２】
図１（Ｂ）は、カウンターフロー型のセパレータが用いられるセルにおいて乾燥が進行した状態を示す。このような状態では、上述したように、ＭＥＧＡの酸化剤ガスの供給口側（＝燃料ガス流路の送出口側）の一部分が乾燥状態となる。この乾燥状態となった部分は、電解質膜のプロトン伝導性が低下し出力電流密度が低下する。結果として、このセルでは、乾燥状態となった発電不良領域以外の部分（図面左側）においてより多くの電力を発電する必要がある。このような状態のセルでは、ＭＥＧＡにおいて発電量の部分的偏りが生じる。
【００３３】
このような状態となった場合には、燃料ガス流路を流れる燃料ガスは、図面左側すなわち供給口側で多く消費されることになる。この場合、図１（Ｂ）に示すように、燃料ガスが実質流れる流路（以降、実質流路と表記する）は、図１（Ａ）の場面に比べて短くなる。
【００３４】
ところで、層流の流体モデルを想定した場合に、圧力損失（ΔＰ）は、流速（Ｕ）に流路長（Ｌ）を乗算した値に比例する。つまり、流体は、流速（Ｕ）若しくは流量が一定とすれば流路長（Ｌ）が短くなる程、その圧力損失（ΔＰ）は小さくなる。
【００３５】
図１（Ａ）及び（Ｂ）の各場面における燃料ガスについて考えると、燃料ガスの送出口側における流量若しくは流速は図１（Ａ）及び（Ｂ）の各場面においてそれぞれ同一とすれば、燃料ガスの圧力損失は、図１（Ｂ）の乾燥状態のほうが図１（Ａ）の通常状態より
も小さくなる。上述したように、図１（Ａ）の場面では燃料ガスが全ガス流路で徐々に消費されるのに対して、図１（Ｂ）の場面では燃料ガスが供給口側で急速に消費されるため、燃料ガスの実質流路長（Ｌ）は図１（Ｂ）のほうが図１（Ａ）よりも短くなるからである。
【００３６】
図２（Ａ）及び（Ｂ）は、コフロー型セパレータが用いられるセルの乾燥状態と燃料ガスの圧力損失との関係を示す概念図である。コフロー型セパレータが用いられるセルでは、セパレータに形成されるガス流路のうちＭＥＧＡを挟んで対向する各ガス流路においてそれぞれ燃料ガスと酸化剤ガスとが同一方向に流れる。図２（Ａ）及び（Ｂ）では、ＭＥＧＡの上面に接するセパレータの酸化剤ガス流路及びＭＥＧＡの下面に接するセパレータの燃料ガス流路にはそれぞれ酸化剤ガス及び燃料ガスが図左から右方向へ流れる。すなわち、このような構成を有するセルは、酸化剤ガス流路の供給口側と燃料ガス流路の供給口側と（共に図面左側）がＭＥＧＡを挟んで対向する構成を有する。
【００３７】
図２（Ａ）は、コフロー型のセパレータが用いられるセルにおいて正常に発電が行われている状態を示す。このような状態では、カウンターフロー型のセパレータが用いられる図１（Ａ）に示す場面と同様に、ＭＥＧＡ全面においてバランスよく発電が行われるため、燃料ガス流路を流れる燃料ガスは、ＭＥＧＡへの供給口側（図面左側）から送出口側（図面右側）へ向けて徐々に消費されながら流れる。
【００３８】
しかしながら、図１（Ａ）の場面と違うのは、セルの水分量が少なくなる部分である。カソード側において酸化剤ガスの供給口側から送出口側へ向けて生成水量が多くなるのは同様であるが、図２（Ａ）では生成水量が多い送出口側が図面右側となることにおいて図１（Ａ）の場面とは相違する。これにより、コフロー型のセパレータが用いられるセルでは、ＭＥＧＡの酸化剤ガス流路及び燃料ガス流路の供給口側（図面左側）において水分量が少なくなる傾向となる。
【００３９】
図２（Ｂ）は、コフロー型のセパレータが用いられるセルにおいて乾燥が進行した状態を示す。このような状態では、上述したように、ＭＥＧＡの酸化剤ガスの供給口側（＝燃料ガスの供給口側）の一部分が乾燥状態となる。よって、このような構成のセルにおいても、ＭＥＧＡの図面右側においてより多くの電力を発電する必要があり、同一セル内において発電量に部分的偏りが生じる。
【００４０】
このような状態となった場合には、燃料ガス流路を流れる燃料ガスは、図面右側すなわち送出口側で多く消費されることになる。これにより、図２（Ｂ）に示すように、燃料ガスの実質流路は、図２（Ａ）の場面に比べて短くなる。
【００４１】
従って、コフロー型のセパレータが用いられるセルにおいても、燃料ガスの送出口側における流量若しくは流速は図２（Ａ）及び（Ｂ）の各場面においてそれぞれ同一とすれば、燃料ガスの圧力損失は、図２（Ｂ）の乾燥状態のほうが図２（Ａ）の通常状態よりも小さくなる。
【００４２】
結果として、カウンターフロー型及びコフロー型のいずれのセパレータが用いられた場合であっても、電解質膜の一部が乾燥状態となり発電不良状態となると燃料ガスの圧力損失が低下することとなる。本発明は、このような現象を検出することにより、電解質膜の一部が乾燥状態となる時点において早期にセルの乾燥を検出する。
【００４３】
［第一実施形態］
以下、本発明の第一実施形態における燃料電池システムについて説明する。
【００４４】
〔システム構成〕
本発明の第一実施形態における燃料電池システムの構成について図３を用いて説明する。図３は、本発明の第一実施形態としての燃料電池システムの構成例を示す図である。本実施形態における燃料電池システムは、燃料電池１０、エアコンプレッサ１１、圧力調整弁１３、燃料ガス供給装置１５、流量調整弁１６、燃料ガス循環ポンプ１８、冷却器２０、ＥＣＵ（Electric Control Unit）２５（本発明の制御装置に相当する）、圧力センサ
３１及び３３、温度センサ３５等を備える。
【００４５】
エアコンプレッサ１１は、例えばエアフィルタ等を介して大気から取り込まれる空気を酸化剤ガスとして所定量分圧縮し、圧縮された空気を配管４１へ送り出す。なお、本発明は、エアコンプレッサ１１から送り出される酸化剤ガスは、このような圧縮空気に限定されるものではない。これにより、酸化剤ガスは、燃料電池１０の酸化剤ガス入口に繋がる酸化剤ガス供給用の配管４１を通り、燃料電池１０へ供給される。
【００４６】
燃料ガス供給装置１５は、燃料ガスとして例えば水素ガス、水素混合ガス等を供給する。燃料ガス供給装置１５から供給される燃料ガスは、流量調整弁１６により流量制御され、配管５１へ送り出される。
【００４７】
流量調整弁１６は、燃料ガス供給装置１５から供給される燃料ガスを燃料電池１０の要求発電量等に応じて所定流量分送り出す。流量調整弁１６を通過した燃料ガスは、燃料電池１０の燃料ガス入口に繋がる燃料ガス供給用の配管５１を通り、燃料電池１０へ供給される。
【００４８】
燃料電池１０は、電解質膜の両面をガス拡散電極（燃料ガス電極（アノード）及び酸化剤ガス電極（カソード））で挟み更にその両側をガス供給路の設けられたセパレータで挟むようにしてそれぞれ形成されるセルが複数積層されることにより構成されている。なお、このセルでは、電解質膜と燃料ガス電極及び酸化剤ガス電極との接合体としてＭＥＡ（Membrane Electrode Assembly）を用いるようにしてもよいしＭＥＧＡを用いるようにし
てもよい。
【００４９】
燃料電池１０は、各セルにおいてこのように供給される燃料ガスと酸化剤ガスとを電解質膜を介してそれぞれ反応させることにより発電を行う。ここで発電に供されなかった燃料ガス（以降、アノードオフガスと表記する）はアノードオフガス出口から、発電に供されなかった酸化剤ガス（以降、カソードオフガスと表記する）はカソードオフガス出口からそれぞれ排出される。
【００５０】
圧力調整弁１３は、燃料電池１０のカソードオフガス出口に繋がる配管４４と配管４６との間に配置され、カソードオフガスの背圧を調整する。圧力調整弁１３を通過したカソードオフガスは、配管４６へ送り出され、排気経路（図示せず）等へ送り出される。
【００５１】
燃料ガス循環ポンプ１８は、回転駆動用のモータ等を備え、燃料電池１０のアノードオフガス出口に繋がる配管５２とこのアノードオフガスを再度燃料電池１０へ循環させる配管５７との間に配置される。燃料ガス循環ポンプ１８は、配管５２を通るアノードオフガスを燃料電池１０へ再供給するために、当該アノードオフガスを配管５７へ送り出す。配管５７を通るアノードオフガスは、燃料ガス供給装置１５から供給される燃料ガスと配管５１により混合され、燃料電池１０へ再供給される。
【００５２】
このように、本実施形態における燃料電池システムでは、燃料電池１０から発電に供されず送出されたアノードオフガスが再び燃料電池１０へ供給されるアノードオフガス循環経路が形成されている。しかしながら、本発明は、このようなアノードオフガス循環経路
を持つ燃料電池システムに限定されるものではなく、当該燃料電池システムは、アノードオフガス循環経路を持たないよう構成されてもよい。
【００５３】
本実施形態における燃料電池システムでは、配管５１の燃料ガス入口近傍に圧力センサ３１が設置され、配管５２の燃料電池１０のアノードオフガス出口近傍に圧力センサ３３が設置される。圧力センサ３１は燃料電池１０へ供給される燃料ガスの圧力を検出し、圧力センサ３３は燃料電池１０から送出されるアノードオフガスの圧力を検出する。圧力センサ３１及び３３により検出された燃料ガスの圧力及びアノードオフガスの圧力は、この燃料ガスの圧力損失値を求めるためにＥＣＵ２５へ送られる。
【００５４】
なお、本発明は、燃料電池１０の各セルにそれぞれ供給される前の燃料ガスの圧力と各セルを通過したアノードオフガスの圧力との差を測定することができれば、圧力センサ３１及び３３の設置位置や圧力検出原理等を限定するものではない。従って、圧力センサ３１及び３３は、燃料電池１０内の各セルに燃料ガスを供給する供給路及び各セルを通過したアノードオフガスが流れる送出路に設けられるようにしてもよい。更に、差圧センサを用いて当該圧力差（圧力損失）を測定するようにしてもよい。
【００５５】
更に、燃料電池１０には当該燃料電池を適温で動作させるために冷却水が供給される。燃料電池１０内では、この冷却水が例えばセル間に設けられる冷却板を通過する際にセルの発する熱を奪い、冷却水出口から燃料電池１０の外へ送出される。冷却水出口から送出された冷却水は、冷却水出口に繋がる配管６１を通り、冷却器２０に送られる。
【００５６】
冷却器２０は、燃料電池１０の各セルから熱を奪うことで加熱された冷却水を配管６１から取り込み、取り込まれた冷却水を冷却する。冷却器２０は、内部に備えられる冷却ファン等から送られる送風により配管６１から取り込まれた冷却水を冷却し、冷却された冷却水を配管６２に送り出す。配管６２へ送り出された冷却水は、燃料電池１０へ再供給される。
【００５７】
このように、本実施形態における燃料電池システムは、燃料電池１０内の各セルの熱を奪い加熱された冷却水が冷却器２０により冷却され、再度燃料電池１０へ供給されるという冷却水循環系を持つ。
【００５８】
本実施形態における燃料電池システムでは、このような冷却水循環系において、燃料電池１０から送出された冷却水の温度を計測するために、配管６１の燃料電池１０の出口付近に温度センサ３５が設置される。温度センサ３５は、燃料電池１０の各セルから熱を奪うことで加熱され燃料電池１０から出された冷却水の温度を検出する。検出された冷却水の温度はＥＣＵ２５へ送られる。
【００５９】
なお、本発明は、燃料電池１０の各セルの発する熱が反映された冷却水の温度を測定することができれば、この温度センサ３５の設置位置や温度検出原理等を限定するものではない。従って、温度センサ３５は、燃料電池１０内の各セルを通過した冷却水が流れる排出路に設けられるようにしてもよい。更に言えば、本発明は、燃料電池１０の運転温度を測定することができれば、冷却水の温度でなくてもよく、燃料電池１０内の温度や燃料電池１０自体の所定箇所の温度が測定されるようにしてもよい。
【００６０】
ＥＣＵ２５は、ＣＰＵ(Central Processing Unit)、メモリ、入出力インタフェース等
により構成されており、ＣＰＵがメモリに格納された制御プログラムを実行することによって次のような制御を行う。このＥＣＵ２５により実行される制御は、１つが上述の［本発明の骨子］で説明したような手法によるセルの乾燥状態の検出処理（以降、乾燥検出処理と表記する）であり、もう１つがセルの乾燥状態の回復処理（以降、乾燥回復処理と表
記する）である。以下、ＥＣＵ２５による乾燥検出処理及び乾燥回復処理についてそれぞれ説明する。
【００６１】
〔乾燥検出処理〕
ＥＣＵ２５は、この乾燥検出処理により、〔発明の骨子〕で説明したように、電解質膜の一部が乾燥状態となり発電量に部分的偏りが生じているセルの存在を検出する。具体的には、ＥＣＵ２５は、冷却水温度の上昇度に対し燃料ガスの圧力損失値が急激に低下する時点をこのような状態のセルが生じた時点として検出する。以下、このような第一実施形態におけるＥＣＵ２５による乾燥検出処理について図４を用いて説明する。図４は、ＥＣＵ２５による乾燥検出処理を示すフローチャートである。
【００６２】
ＥＣＵ２５は、圧力センサ３１及び３３により検出された燃料ガスの圧力及びアノードオフガスの圧力、並びに温度センサ３５により検出された冷却水の温度を取得する。
【００６３】
ＥＣＵ２５は、圧力センサ３１及び３３からの各出力信号としての燃料ガスの圧力とアノードオフガスの圧力との差を求めることにより燃料ガスの圧力損失値を算出する。結果として、ＥＣＵ２５は、この算出された燃料ガスの圧力損失値に基づいて、所定の時間間隔における圧力損失値の変化量（ΔＰ）を算出する（Ｓ４０１）。この所定の時間間隔は、例えば、メモリ等に予め調整可能に保持される。
【００６４】
この変化量（ΔＰ）を算出するにあたり、ＥＣＵ２５は、例えば、燃料ガスの圧力損失値を当該所定の時間間隔で算出するようにし、この圧力損失値の算出後すぐに算出された燃料ガスの圧力損失値と前回算出された圧力損失値との差分（ΔＰ）を求めるようにしてもよい。この場合には、算出された各時間における圧力損失値をメモリ等に保持するようにすればよい。なお、燃料ガスの圧力損失値の算出タイミングとは無関係に、当該所定の時間間隔で圧力損失値の変化量（ΔＰ）を求めるようにしてもよい。
【００６５】
ＥＣＵ２５は、温度センサ３５からの出力信号としての冷却水温度についても当該所定の時間間隔（上記燃料ガスの圧力損失値の変化量を求める際の時間間隔と同じもの）での変化量（ΔＴ）を算出する（Ｓ４０２）。
【００６６】
ＥＣＵ２５は、これら算出された燃料ガスの圧力損失値の変化量（ΔＰ）及び冷却水温度の変化量（ΔＴ）を用いて、冷却水温度の上昇度に対し燃料ガスの圧力損失値が急激に低下しているか否かを判定する（Ｓ４０３）。具体的には、ＥＣＵ２５は、燃料ガスの圧力損失値の変化量（ΔＰ）を冷却水温度の変化量（ΔＴ）で除算した値が変化量閾値Ａよりも小さくなる場合に、冷却水温度の上昇度に対し燃料ガスの圧力損失値が急激に低下していると判定する。変化量閾値Ａは、燃料電池１０の構成に伴う特性に応じてシミュレーション等で推定され、予めメモリ等に調整可能に保持される。なお、本実施形態で用いられるこの変化量閾値Ａは、冷却水温度の上昇度に対し燃料ガスの圧力損失値が急激に低下しているか否かの判定に用いられることから負の値となる。
【００６７】
ＥＣＵ２５は、冷却水温度の上昇度に対し燃料ガスの圧力損失値が急激に低下している、すなわち、燃料ガスの圧力損失値の変化量（ΔＰ）を冷却水温度の変化量（ΔＴ）で除算した値が変化量閾値Ａよりも小さいと判定すると（Ｓ４０３；ＹＥＳ）、以下に述べる回復処理を実行する（Ｓ４０４）。一方、ＥＣＵ２５は、燃料ガスの圧力損失値の変化量（ΔＰ）を冷却水温度の変化量（ΔＴ）で除算した値が変化量閾値Ａ以上であると判定すると（Ｓ４０３；ＮＯ）、まだセルが乾燥していないと判断し、再度、この乾燥検出処理を繰返し実行する。
【００６８】
〔乾燥回復処理〕
ＥＣＵ２５は、上記乾燥検出処理によりセルの乾燥を検出すると、以下に示す乾燥回復処理を実行する。なお、本発明は、乾燥回復処理を限定するものではないため、以下に示す乾燥回復処理のいずれか１つ若しくは複数が実行されるようにすればよい。
【００６９】
第１の手法として、カソードオフガスの背圧を上げる手法がある。この場合、ＥＣＵ２５は、圧力調整弁１３を閉じるように制御する。これにより、カソード内の酸化剤ガス中の酸素濃度が増加し、プロトンと反応する酸素の濃度が高いことから還元反応が促進される。この還元反応により生成される水が多くなるため、セルの乾燥を回復させることができる。
【００７０】
第２の手法として、燃料ガスが流れる配管５１に加湿モジュール（図示せず）を設け、この加湿モジュールによりセルの乾燥を回復させる手法がある。この場合、ＥＣＵ２５は、加湿モジュールによる加湿量を増加させるように制御する。これにより、アノードに供給される燃料ガスに含まれる水分量が増加するため、セルの乾燥を回復させることができる。
【００７１】
第３の手法として、燃料ガス供給装置１５から供給される燃料ガスの流量を増加させる手法がある。この場合、ＥＣＵ２５は、流量調整弁１６を開くように制御する。これにより、アノードへ供給される燃料ガスの流量が増加し、電解質膜を移動するプロトンの量が増えるため還元反応が促進される。この還元反応により生成される水が多くなるため、セルの乾燥を回復させることができる。
【００７２】
これ以外の手法として、酸化剤ガスが流れる配管４１に設置された加湿モジュール（図示せず）を制御することにより、各セルに供給される酸化剤ガスに含まれる水分量を上げるようにしてもよい。また、これら以外の手法を用いるようにしてもよい。
【００７３】
本実施形態における燃料電池システムでは、ＥＣＵ２５により早期にセルの乾燥が検出されるため、いずれの乾燥回復手法を用いた場合であってもセルの乾燥を容易に回復させることができる。
【００７４】
〔動作例〕
以下、本実施形態における燃料電池システムの動作例について説明する。本実施形態における燃料電池システムは、ＥＣＵ２５によるセル乾燥検出処理及び乾燥回復処理が実行される際には以下のように動作している。
【００７５】
圧力センサ３１は、燃料電池１０内へ送り込まれる燃料ガスの圧力を検出し、検出結果をＥＣＵ２５へ逐次若しくは所定の周期で送る。圧力センサ３３は、燃料電池１０から送出されたアノードオフガスの圧力を検出し、検出結果をＥＣＵ２５へ逐次若しくは所定の周期で送る。温度センサ３５は、この燃料電池１０内から送出された冷却水の温度を検出し、検出結果をＥＣＵ２５へ逐次若しくは所定の周期で送る。
【００７６】
図５は、第一実施形態における燃料電池１０における燃料ガス圧力損失、セル出口温度及びセル抵抗の運転経過時間に伴う推移を示すグラフである。図５には、各値が運転経過時間と共にそれぞれ示されており、燃料ガス圧力損失がアノード圧損と表記され、冷却水温度がセル出口温度と表記され、燃料電池１０内のセル抵抗がセル抵抗と表記されている。以下、この図５に示される運転経過時間に沿って、本実施形態のＥＣＵ２５の動作について説明する。
【００７７】
図５によれば、Ｔ１時間において、セル抵抗が低く安定しセル電圧が高く安定している状態が示されている。これは、セルの電解質膜が湿潤に保たれプロトンの移動が正常に確
保されている状態を示している。この状態では、燃料ガスの圧力損失値の変化量（ΔＰ）及び冷却水温度の変化量（ΔＴ）の大きさ（絶対値）はいずれも小さい。よって、ＥＣＵ２５は、燃料ガスの圧力損失値の変化量（ΔＰ）を冷却水温度の変化量（ΔＴ）で除算した値が変化量閾値Ａよりも小さくない、すなわち、冷却水温度の上昇度に対し燃料ガスの圧力損失値が急激に低下しているわけではないと判定する。この結果、ＥＣＵ２５は、セルが乾燥状態にないと判断する。
【００７８】
Ｔ２時間においては、セル抵抗及びセル電圧は略Ｔ１時間と変わらなく推移しているものの、冷却水温度が極度に上昇している状態が示されている。この状態では、燃料ガスの圧力損失値の変化量（ΔＰ）の大きさ（絶対値）に較べて、冷却水温度の変化量（ΔＴ）は大きくなっている。よって、この場合にも、Ｔ１時間における判定と同様に、ＥＣＵ２５は、冷却水温度の上昇度に対し燃料ガスの圧力損失値が急激に低下しているわけではないから、セルは乾燥状態にないと判断する。このＴ２時間における冷却水温度の上昇は、セル抵抗が低い値を示すことから電解質膜の乾燥状態によるものではないと考えられる。
【００７９】
Ｔ３時間においては、セル抵抗がＴ１時間及びＴ２時間と較べて多少上昇し、冷却水温度がＴ２時間後から更に緩やかな上昇傾向にあり、燃料ガスの圧力損失が大きく低下している。この状態では、燃料ガスの圧力損失値の変化量（ΔＰ）は負の数値として急激に小さくなっており（変化量の絶対値は大きくなっており）、冷却水温度の変化量（ΔＴ）は正の数値として小さくなっている。よって、ＥＣＵ２５は、燃料ガスの圧力損失値の変化量（ΔＰ）を冷却水温度の変化量（ΔＴ）で除算した値が変化量閾値Ａよりも小さい、すなわち、冷却水温度の上昇度に対し燃料ガスの圧力損失値が急激に低下しているから、セルは乾燥状態にあると判断する。
【００８０】
このＴ３時間経過後は、緩やかに燃料ガスの圧力損失は低下している。このＴ３時間は、電解質膜が部分的に乾燥し発電領域に偏りが生じ始めている時間と言える。
【００８１】
Ｔ４時間では、セル抵抗値が極端に高くなっている。これは、この時点においてセルの電解質膜が乾燥し電解質膜に非発電領域が生じていることを示している（図８の電解質膜９０２参照）。このＴ４時間の時点は、乾燥を検出したとしても電解質膜が乾燥し過ぎているため回復させるのが困難な時点である。よって、ＥＣＵ２５は、このＴ４時間になるより前のＴ３時間においてセルの乾燥を検出する。すなわち、本実施形態では、Ｔ４時間の時点のようにセル抵抗値の上昇量が大きくなる前に乾燥状態を検出することができるため、従来技術としてのインピーダンスの変化に基づいて電解質膜の乾燥を検出する手法に較べて、より早期に電解質膜の乾燥状態を検出することができる。これにより、本実施形態における燃料電池システムによれば、この乾燥検出後、乾燥状態を速やかに回復させることができる。
【００８２】
Ｔ３時間において、ＥＣＵ２５は、セルが乾燥していると判断すると、セルの乾燥回復処理を実行する。ＥＣＵ２５は、例えば、圧力調整弁１３を閉じてカソードオフガスの背圧を上げることにより生成水を増加させ、セルの乾燥を回復させる。また、ＥＣＵ２５は、燃料ガスが流れる配管５１に設けられた加湿モジュールによる加湿量を増加させることにより、セルの乾燥を回復させる。また、ＥＣＵ２５は、流量調整弁１６を開いて燃料ガスの供給流量を増加させることにより生成水を増加させ、セルの乾燥を回復させる。
【００８３】
〈実施形態の作用及び効果〉
以下、上述した第一実施形態としての燃料電池システムの作用及び効果について述べる。
【００８４】
本実施形態における燃料電池システムでは、燃料電池１０の燃料ガス入口付近に設置さ
れた圧力センサ３１により燃料電池１０へ供給される前の燃料ガスの圧力が検出され、燃料電池１０のアノードオフガス出口付近に設置された圧力センサ３３により燃料電池１０から送出されたアノードオフガスの圧力が検出される。これら圧力センサ３１及び３３により検出された燃料ガス及びアノードオフガスの圧力に基づいて、燃料電池１０を通過する際の燃料ガスの圧力損失が算出される。続いて、算出された燃料ガスの圧力損失値について所定の時間間隔における変化量（ΔＰ）が算出される。
【００８５】
更に、本実施形態における燃料電池システムでは、温度センサ３５により、各セルと熱交換し燃料電池１０から送出された冷却水の温度が検出される。この検出された冷却水の温度について所定の時間間隔における変化量（ΔＴ）が算出される。
【００８６】
本実施形態における燃料電池システムでは、これら各値が用いられ、冷却水温度の上昇度に対し燃料ガスの圧力損失値が急激に低下している場合に、セルが乾燥していると判断される。
【００８７】
これにより、電解質膜が部分的に乾燥し発電量の部分的偏りが生じたセルが存在する時点で、セルの乾燥状態を検出することができる。この時点で検出されるため、その後のセルの乾燥回復処理によりセルの乾燥状態を回復させるのが容易になる。
【００８８】
［第二実施形態］
以下、本発明の第二実施形態における燃料電池システムについて説明する。上述の第一実施形態における燃料電池システムでは、冷却水温度の変化量と燃料ガスの圧力損失値の変化量とに基づいてセルの乾燥が判断された。第二実施形態における燃料電池システムでは、燃料ガスの供給流量変化に伴う圧力損失値の変化量が加味されてセルの乾燥が判断される。
【００８９】
〔システム構成〕
本発明の第二実施形態における燃料電池システムの構成について図６を用いて説明する。図６は、本発明の第二実施形態としての燃料電池システムの構成例を示す図である。第二実施形態における燃料電池システムは、第一実施形態の構成に加えて、流量計６１を更に備える。それ以外の構成については第一実施形態と同様であるためここでは説明を省略する。
【００９０】
流量計６１は、燃料電池１０へ供給される燃料ガスが流れる配管５１に設置され、燃料ガスの供給流量を計測する。計測された燃料ガスの供給流量はＥＣＵ２５へ送られる。なお、本発明は、流量計６１の設置箇所を限定するものではなく、燃料電池１０へ供給される燃料ガスの流量を計測し得る箇所であれば流量計６１はどのような箇所に設置されてもよい。
【００９１】
ＥＣＵ２５は、圧力センサ３１及び３３により検出された燃料ガスの圧力及びアノードオフガスの圧力、温度センサ３５により検出された冷却水の温度を取得すると共に、流量計６１により測定された燃料ガスの供給流量を取得する。ＥＣＵ２５は、燃料ガスの圧力、アノードオフガスの圧力及び冷却水温度を用いて第一実施形態と同様の判定を行うと共に、更に、燃料ガスの供給流量を用いてこの燃料ガスの供給流量変化に伴う圧力損失値の変化量を加味してセルの乾燥検出処理を行う。
【００９２】
〔発明の骨子〕において述べたように、流体の圧力損失（ΔＰ）は、流量が変化するとこの変化に応じて変わる。第二実施形態におけるＥＣＵ２５は、この燃料電池１０へ供給される燃料ガスの供給流量の変化に伴う圧力損失の変化を第一実施形態と同様に算出された圧力損失の変化量から省くことにより、燃料ガスの実質流路長の変化をより厳密に検出
することができる。燃料ガスの実質流路長は、電解質膜の発電量の部分的偏り、すなわち電解質膜の部分的乾燥により変化する。従って、第二実施形態におけるＥＣＵ２５によれば、第一実施形態における燃料電池システムにおいて燃料ガスの供給流量が制御される場合においても正確にセルの乾燥を検出することができる。なお、セルの乾燥回復処理については第一実施形態と同様であるため、ここでは説明を省略する。
【００９３】
〔乾燥検出処理〕
以下、第二実施形態におけるＥＣＵ２５による乾燥検出処理について図７を用いて説明する。図７は、第二実施形態におけるＥＣＵ２５による乾燥検出処理を示すフローチャートである。図７に示す符号のうち第一実施形態と同様の処理については図４と同様の符号を付している。
【００９４】
ＥＣＵ２５は、第一実施形態と同様に、所定の時間間隔における圧力損失値の変化量（ΔＰ）及び冷却水温度の変化量（ΔＴ）を算出し（Ｓ４０１及びＳ４０２）、これら算出された燃料ガスの圧力損失値の変化量（ΔＰ）及び冷却水温度の変化量（ΔＴ）を用いて、冷却水温度の上昇度に対し燃料ガスの圧力損失値が急激に低下しているか否かを判定する（Ｓ４０３）。ここで、冷却水温度の上昇度に対し燃料ガスの圧力損失値が急激に低下していないと判定されると（Ｓ４０３；ＮＯ）、第一実施形態と同様に、セルの乾燥状態とはみなされない。
【００９５】
一方、冷却水温度の上昇度に対し燃料ガスの圧力損失値が急激に低下していると判定されると（Ｓ４０３；ＹＥＳ）、ＥＣＵ２５は、流量計６１により測定された燃料ガスの供給流量に基づいて当該所定の時間間隔における燃料ガスの供給流量の変化量（ΔＱ）を算出する（Ｓ７０１）。
【００９６】
続いて、ＥＣＵ２５は、この燃料ガス供給流量の変化量（ΔＱ）のみに伴う燃料ガスの圧力損失値の変化量を推定する。この推定値は、予め、セルが乾燥していない状態（通常運転時）の燃料電池１０を想定したシミュレーション等により決められる係数αを用いて推定されるようにすればよい。これによれば、燃料ガス供給流量の変化量（ΔＱ）のみに伴う燃料ガスの圧力損失値の変化量は、燃料ガス供給流量の変化量（ΔＱ）に係数αを掛けることで算出することができる。なお、この係数αは、予め調整可能にメモリ等に保持されるようにしてもよい。
【００９７】
ＥＣＵ２５は、このように推定された圧力損失値の推定値よりも、圧力センサ３１及び３３からの出力により算出された圧力損失値の変化量（ΔＱ）が十分に小さいことを確認する（Ｓ７０２）。ここで、十分に小さいとは、圧力センサ３１及び３３からの出力により算出された圧力損失値の変化量（ΔＱ）の測定誤差を加味してもなお小さいことを意味する。よって、例えば測定誤差５％を見込む場合には、算出された圧力損失値の変化量（ΔＱ）の９５％にあたる値と圧力損失値の推定値とを比較するようにしてもよい。
【００９８】
ＥＣＵ２５は、このような比較により、圧力センサ３１及び３３からの出力により算出された圧力損失値の変化量（ΔＱ）が燃料ガス供給流量の変化量（ΔＱ）のみに伴う燃料ガスの圧力損失値の変化量よりも十分に小さいと判定すると（Ｓ７０２；ＹＥＳ）、セルが乾燥状態となると判断し、乾燥回復処理を実行する（Ｓ４０４）。一方、ＥＣＵ２５は、圧力センサ３１及び３３からの出力により算出された圧力損失値の変化量（ΔＱ）が燃料ガス供給流量の変化量（ΔＱ）のみに伴う燃料ガスの圧力損失値の変化量と略同等であると判定すると（Ｓ７０２；ＮＯ）、セルが乾燥状態にないと判断する。
【００９９】
なお、図７に示すフローチャートでは、燃料ガス流量の変化量（ΔＱ）の算出（Ｓ７０１）及びこの変化量に伴う燃料ガスの圧力損失の変化量の推定（Ｓ７０２）はＳ４０２及
びＳ４０３の後に行われているが、Ｓ４０２の前でこれらの処理（Ｓ７０１及びＳ７０２）を行うようにしてもよい。
【０１００】
〔実施形態の作用及び効果〕
以下、上述した第二実施形態としての燃料電池システムの作用及び効果について述べる。
【０１０１】
本実施形態における燃料電池システムでは、第一実施形態と同様に、燃料電池１０を通過する際の燃料ガスの圧力損失についての所定時間間隔における変化量（ΔＰ）と冷却水温度について所定時間間隔における変化量（ΔＴ）とに基づいて、冷却水温度の上昇度に対し燃料ガスの圧力損失値が急激に低下していることが検出される。
【０１０２】
本実施形態における燃料電池システムでは、更に、燃料ガスの供給流量が計測され、当該所定時間間隔における燃料ガス供給流量の変化量（ΔＱ）が算出され、この燃料ガス供給流量の変化のみに伴う燃料ガスの圧力損失値（αΔＱ）が推定される。
【０１０３】
最終的に、圧力センサ３１及び３３からの出力により算出された燃料ガス圧力損失値の所定時間間隔における変化量（ΔＰ）がこの推定された燃料ガス供給流量の変化のみに伴う燃料ガスの圧力損失値（αΔＱ）よりも十分小さいと判定されると、セルの乾燥状態とみなされ、セルの乾燥回復処理が実行される。
【０１０４】
このように、本実施形態における燃料電池システムでは、セルの乾燥状態を検出するにあたり、冷却水温度の上昇度に対し燃料ガスの圧力損失値が急激に低下していると共に、この燃料ガス圧力損失の変化が燃料ガスの供給流量の変化に伴うもののみでないことが確認される。
【０１０５】
これにより、燃料ガスの供給流量が大きく変化するような制御が行われる場合であっても、電解質膜が部分的乾燥状態となるセルが生じているか否かを正確に検出することができる。更に、電解質膜が部分的に乾燥し発電量の部分的偏りが生じたセルが存在する時点で、セルの乾燥状態を検出することができるため、その後のセルの乾燥回復処理によりセルの乾燥状態を回復させるのが容易になる。
【図面の簡単な説明】
【０１０６】
【図１Ａ】カウンターフロー型セパレータが用いられるセルの乾燥状態と燃料ガスの圧力損失との関係を示す概念図であり、正常に発電が行われている状態を示す図である。
【図１Ｂ】カウンターフロー型セパレータが用いられるセルの乾燥状態と燃料ガスの圧力損失との関係を示す概念図であり、セルの乾燥が進行した状態を示す図である。
【図２Ａ】コフロー型セパレータが用いられるセルの乾燥状態と燃料ガスの圧力損失との関係を示す概念図であり、正常に発電が行われている状態を示す図である。
【図２Ｂ】コフロー型セパレータが用いられるセルの乾燥状態と燃料ガスの圧力損失との関係を示す概念図であり、セルの乾燥が進行した状態を示す図である。
【図３】本発明の第一実施形態としての燃料電池システムの構成例を示す図である。
【図４】第一実施形態におけるＥＣＵ２５による乾燥検出処理を示すフローチャートである。
【図５】第一実施形態における燃料電池１０における燃料ガス圧力損失、セル出口温度及びセル抵抗の運転経過時間に伴う推移を示すグラフである。
【図６】本発明の第二実施形態としての燃料電池システムの構成例を示す図である。
【図７】第二実施形態におけるＥＣＵ２５による乾燥検出処理を示すフローチャートである。
【図８】セル電圧及びセル抵抗と電解質膜の乾燥湿潤状態との関係を示す概念図である。
【符号の説明】
【０１０７】
１０  燃料電池
１１  エアコンプレッサ
１３  圧力調整弁
１５  燃料ガス供給装置
１６  流量調整弁
１８  燃料ガス循環ポンプ
２０  冷却器
２５  ＥＣＵ（Electric Control Unit）
３１、３３  圧力センサ
３５  温度センサ
４１、４４、４６、５１、５２、５７、６１、６２  配管
６１  流量計
９００、９０１、９０２  電解質膜
９０５  部分的乾燥領域、発電不良領域
９０６  完全乾燥領域、非発電領域
【図１Ａ】
0005151274.tif 000002
【図１Ｂ】
0005151274.tif 000003
【図２Ａ】
0005151274.tif 000004
【図２Ｂ】
0005151274.tif 000005
【図３】
0005151274.tif 000006
【図４】
0005151274.tif 000007
【図５】
0005151274.tif 000008
【図６】
0005151274.tif 000009
【図７】
0005151274.tif 000010
【図８】
0005151274.tif 000011